(57)【要約】【課題】  第２弁口から排出される最高使用圧力以上の流体により出口通路の内壁が浸食されることを防止する。【解決手段】  入口５と出口７を有するトラップケーシング１，２，３，６，８にトラップ室１４と出口通路１５を形成する。トラップ室１４を出口通路１５に連通する弁口１７を有する弁座１８を設け、弁座１８に離着座して弁口１７を開閉するフロート２２をトラップ室１４に配置する。トラップ室１４を出口７に連通する第２弁口２５を有する第２弁座２６を設け、第２弁座２６に離着座して第２弁口２５を開閉する弁部材２８を第２弁口２５の出口７側に配置する。バネ受け３０との間に配置したコイルバネ３１により弁部材２８を閉弁方向に付勢する。バネ受け３０を第２弁口２５の軸方向に変位せしめる操作部材３２を出口７から第２弁口２５の軸方向に進退操作可能に配置する。第２弁口２５の中心軸を出口７の中心軸と同一軸上に形成する。【選択図】      図１
2011190887.tif 000002
【特許請求の範囲】
【請求項１】
入口と出口を有するトラップケーシングに入口に連通するトラップ室と出口に連通する出口通路を形成し、トラップ室を出口通路に連通する弁口を有する弁座を設け、弁座に離着座して弁口を開閉するフロートをトラップ室に配置したものにおいて、トラップ室を出口に連通する第２弁口を有する第２弁座を設け、第２弁座に離着座して第２弁口を開閉する弁部材を第２弁口の出口側に配置し、バネ受けとの間に配置した弾性部材により弁部材を閉弁方向に付勢し、バネ受けを第２弁口の軸方向に変位せしめる操作部材を出口から第２弁口の軸方向に進退操作可能に配置し、第２弁口の中心軸を出口の中心軸と同一軸上に形成したことを特徴とするフロート式スチームトラップ。
【発明の詳細な説明】
【技術分野】
【０００１】
本発明は、蒸気輸送管や蒸気使用機器等の蒸気配管系に発生する復水を自動的に排出するフロート式スチームトラップに関し、特にトラップ室の圧力が使用最高圧力よりも高くなった場合に開弁できるようにしたものに関する。
【背景技術】
【０００２】
従来のフロート式スチームトラップは、例えば特許文献１に開示されている。これは、入口と出口を有するトラップケーシングに入口に連通するトラップ室と出口に連通する出口通路を形成し、トラップ室を出口通路に連通する弁口を有する弁座を設け、弁座に離着座して弁口を開閉するフロートをトラップ室に配置したものにおいて、トラップ室を出口通路側に連通する第２弁口を有する第２弁座を設け、第２弁座に離着座して第２弁口を開閉する弁部材を第２弁口の出口通路側に配置し、バネ受けとの間に配置した弾性部材により弁部材を閉弁方向に付勢したものである。
【先行技術文献】
【特許文献】
【０００３】
【特許文献１】特開２００４−７６８３１号公報
【発明の概要】
【発明が解決しようとする課題】
【０００４】
上記従来のフロート式スチームトラップは、トラップ室の圧力が使用最高圧力に達するまでは弾性部材の付勢力により弁部材が第２弁座に着座して第２弁口を閉止している。この状態において、フロートがトラップ室の液面と共に浮上降下することにより弁座に離着座して弁口を開閉する。トラップ室の圧力が使用最高圧力に達すると弁部材が弾性部材の付勢力に抗して第２弁座から離座して第２弁口を開口する。これにより、トラップ室の圧力が使用最高圧力よりも高くなった場合に開弁できるという優れたものである。しかしながら、第２弁口から排出される最高使用圧力以上の流体が出口通路の内壁を衝突しながら流下するために、出口通路の内壁が浸食されるという問題点があった。
【０００５】
したがって本発明が解決しようとする課題は、第２弁口から排出される最高使用圧力以上の流体により出口通路の内壁が浸食されることを防止できるフロート式スチームトラップを提供することである。
【課題を解決するための手段】
【０００６】
上記の課題を解決するために、本発明のフロート式スチームトラップは、入口と出口を有するトラップケーシングに入口に連通するトラップ室と出口に連通する出口通路を形成し、トラップ室を出口通路に連通する弁口を有する弁座を設け、弁座に離着座して弁口を開閉するフロートをトラップ室に配置したものにおいて、トラップ室を出口に連通する第２弁口を有する第２弁座を設け、第２弁座に離着座して第２弁口を開閉する弁部材を第２弁口の出口側に配置し、バネ受けとの間に配置した弾性部材により弁部材を閉弁方向に付勢し、バネ受けを第２弁口の軸方向に変位せしめる操作部材を出口から第２弁口の軸方向に進退操作可能に配置し、第２弁口の中心軸を出口の中心軸と同一軸上に形成したことを特徴とするものである。
【発明の効果】
【０００７】
本発明によれば、トラップ室を出口に連通する第２弁口を有する第２弁座を設け、第２弁座に離着座して第２弁口を開閉する弁部材を第２弁口の出口側に配置し、バネ受けとの間に配置した弾性部材により弁部材を閉弁方向に付勢し、バネ受けを第２弁口の軸方向に変位せしめる操作部材を出口から第２弁口の軸方向に進退操作可能に配置し、第２弁口の中心軸を出口の中心軸と同一軸上に形成したことにより、第２弁口から排出される最高使用圧力以上の流体が出口の中心軸方向に向けて直接出口に排出されるので、出口通路の内壁及び出口の内壁が浸食されることを防止できるという優れた効果を奏する。また、操作部材を前進させてバネ受けを弁部材に近づけると弾性部材の付勢力を強めて高圧で開弁させることができ、操作部材を後退させてバネ受けを弁部材から遠ざけると弾性部材の付勢力を弱めて低圧で開弁させることができるという優れた効果を奏する。
【図面の簡単な説明】
【０００８】
【図１】本発明の実施の形態に係わるフロート式スチームトラップの断面図である。
【発明を実施するための形態】
【０００９】
以下、本発明の実施の形態について、図１を参照して説明する。トラップケーシングはステンレス鋼薄板をプレス成型して作った本体１，２と仕切り部材３と、入口５を設けた入口部材６と、出口７を設けた出口部材８とで構成する。本体１に入口部材６を溶接（参照番号９の個所）し、本体２に出口部材８を溶接（参照番号１０の個所）し、仕切り部材３と本体２を溶接（参照番号１３の個所）し、本体１と仕切り部材３を溶接（参照番号１２の個所）して、トラップケーシング内を入口５に連通するトラップ室１４と、出口７に連通する出口通路１５とに仕切る。入口５の中心軸と出口７の中心軸は同一軸上に形成する。
【００１０】
仕切り部材３の下部にトラップ室１４と出口通路１５を連通する弁口１７を形成した弁座１８を溶接（参照番号１９の個所）する。弁座１８は基台部分と、基台部分に圧入した先端部分とから成り、先端部分に弁口１７を形成したものである。弁口１７は出口７の下方に位置し、出口通路１５を介して上方の出口７に連通する。トラップ室１４にステンレス鋼薄板で中空球形に作ったフロート２２を自由状態で収容する。フロート２２はその外表面が弁座１８に直接離着座して弁口１７を開閉する。弁座１８にフロート座２３を取り付ける。フロート座２３は弁口１７の軸からフロート２２の半径の長さ離れた、当該軸に平行の二本の足を有する。入口室１４に小孔を一面に開けたステンレス鋼薄板をプレス成型して作ったスクリーン２４を数箇所でスポット溶接して本体１に取り付ける。
【００１１】
仕切り部材３の上部にトラップ室１４と出口７を連通する第２弁口２５を形成した第２弁座２６を溶接（参照番号２７の個所）する。第２弁口２５の中心軸は出口７の中心軸と同一軸上に形成する。第２弁座２６に離着座して第２弁口２５を開閉する球状の弁部材２８を第２弁口２５の出口７側に配置する。弁部材２８の出口７側に出口７側への変位をスナップリング２９より規制したバネ受け３０を配置し、弁部材２８とバネ受け３０の間に弁部材２８を閉弁方向に付勢する弾性部材としてのコイルバネ３１を配置する。バネ受け３０を第２弁口２５の軸方向に変位せしめる操作部材３２を第２弁座２６に進退操作可能にねじ結合して配置する。操作部材３２を出口７から第２弁口の軸方向にねじ進退操作することによりバネ受け３０を第２弁口２５の軸方向に変位せしめる。
【００１２】
上記実施例の作動を説明する。入口５は蒸気使用機器等の復水発生個所に接続する。復水と蒸気がトラップ室１４に流入し、復水が下部に蒸気が上部に分離して溜まる。トラップ室１４の圧力が使用最高圧力に達するまではコイルバネ３１の付勢力により弁部材２８が第２弁座２６に着座して第２弁口２５を閉止している。この状態において、フロート２２は液面が上昇すると浮力が大きくなるので弁座１８から離座して浮上し弁口１７を開く。これにより、トラップ室１４の復水が弁口１７から出口通路１５を介して出口７から排出される。排出により液面が下がると、それと共にフロート２２が降下し、フロート座２３に乗った位置で弁座１８に着座して弁口１７を塞ぎ蒸気の漏出を防ぐ。トラップ室１４の圧力が使用最高圧力に達すると弁部材２８がコイルバネ３１の付勢力に抗して第２弁座２６から離座して第２弁口２５を開口する。これにより、トラップ室１４の圧力が使用最高圧力よりも高くなった場合に開弁する。第２弁口２５から排出される最高使用圧力以上の流体は出口７の中心軸方向に向けて直接出口７に排出されるので、出口通路１５の内壁及び出口７の内壁が浸食されることを防止できる。また、操作部材３２を前進させてバネ受け３０を弁部材２８に近づけるとコイルバネ３１の付勢力を強めて高圧で開弁させることができ、操作部材３２を後退させてバネ受け３０を弁部材２８から遠ざけるとコイルバネ３１の付勢力を弱めて低圧で開弁させることができる。
【産業上の利用可能性】
【００１３】
本発明は、蒸気輸送管や蒸気使用機器等の蒸気配管系に発生する復水を自動的に排出するフロート式スチームトラップに利用することができる。
【符号の説明】
【００１４】
１  本体
２  本体
３  仕切り部材
５  入口
６  入口部材
７  出口
８  出口部材
１４  トラップ室
１５  出口通路
１７  弁口
１８  弁座
２２  フロート
２３  フロート座
２４  スクリーン
２３  フロート座
２５  第２弁口
２６  第２弁座
２８  弁部材
２９  スナップリング
３０  バネ受け
３１  コイルバネ
３２  操作部材
【図１】
2011190887.tif 000003